【事件の表示】
　特願２０１０−１０２１８２「光電変換素子、有機太陽電池及びそれらを用いた光電変換装置」拒絶査定不服審判事件〔平成２３年１１月１７日出願公開、特開２０１１−２３３６９２〕について、次のとおり審決する。
【結　論】
　本件審判の請求は、成り立たない。
【理　由】
第１　手続の経緯
　
　本願は、平成２２年４月２７日の出願であって、平成２６年４月１日付けで拒絶査定がなされ、これに対し、平成２６年６月２６日に審判請求がなされたものである。
　その後、当審において、平成２７年７月９日付けで拒絶理由が通知され、これに対し、同年９月１１日に意見書が提出され、同時に手続補正がなされた。
　
　
第２　本願発明
　
　本願の特許請求の範囲の請求項１に係る発明（以下「本願発明」という。）は、平成２７年９月１１日付けの手続補正により補正された特許請求の範囲の請求項１に記載された事項により特定される、以下のとおりのものである。
　
「基板上に、少なくとも一方が透光性を有する第１及び第２の電極と、
　この第１及び第２の電極間に、第１の電極側から、正孔輸送性材料と金属酸化物からなる第１の有機化合物層と、電子輸送性材料からなる第２の有機化合物層とを有し、
　前記第１の有機化合物層が、金属酸化物を、第１の有機化合物層中に層として含み、
　前記金属酸化物層が、前記第２の有機化合物層との界面又は前記第１の有機化合物層の内部にあり、
　前記正孔輸送性材料が、Ｎ，Ｎ’−ビス（３−トリル）−Ｎ，Ｎ’−ジフェニルベンジジン（ｍＴＰＤ）、Ｎ，Ｎ’−ジナフチル−Ｎ，Ｎ’−ジフェニルベンジジン（ＮＰＤ）、又は４，４’，４’’−トリス（フェニル−３−トリルアミノ）トリフェニルアミン（ＭＴＤＡＴＡ）であり、
　前記金属酸化物が、モリブデン酸化物、バナジウム酸化物、タングステン酸化物、ルテニウム酸化物、レニウム酸化物、インジウム酸化物、スズ酸化物及び亜鉛酸化物の少なくとも一種であり、
　前記正孔輸送性材料と金属酸化物のモル比が、１００：４〜１２であることを特徴とする光電変換素子。」
　
　
第３　当審の拒絶理由
　
　当審で通知した平成２７年７月９日付けの拒絶理由（以下、単に「拒絶理由」という。）は以下のとおりである。
　
「本出願は、特許請求の範囲の記載が下記の点で不備のため、特許法第３６条第６項第１号に規定する要件を満たしていない。
　
　 　 　 　 　 　 　 　 　 　 　 記  
　
　請求項１には、「正孔輸送性材料と金属酸化物のモル比が、１００：４〜１２である」構成が記載されている。
　また、本願明細書には、【００５１】に「ｍＴＰＤ層３０ｎｍと三酸化モリブデン層１ｎｍは、ｍＴＰＤ：三酸化モリブデンのモル比１００：１２に相当する」ことが、【００６５】に「ｍＴＰＤ層３０ｎｍと三酸化モリブデン層０．３ｎｍは、ｍＴＰＤ：三酸化モリブデンのモル比１００：４に相当する」ことが記載されている。
　しかしながら、本願明細書には、ｍＴＰＤ層と三酸化モリブデン層の組合せ以外の正孔輸送性材料と金属酸化物の組合せについて、モル比１００：４ないしモル比１００：１２とすることで、高効率のエネルギー変換特性を示す有機太陽電池が得られることの具体的な説明やそれらの実証データの記載はされていない。
　ｍＴＰＤ層及び三酸化モリブデン層と異なる正孔輸送性材料と金属酸化物の組合せとし、ｍＴＰＤ層と三酸化モリブデン層の組合せと同様にモル比１００：４ないしモル比１００：１２とした場合に、層の厚みがｍＴＰＤ層と三酸化モリブデン層の組合せとは異なるものとなり、有機太陽電池素子の構成が異なることは明らかであるが、上述のように本願明細書には、このような異なる構成の素子について高効率のエネルギー変換特性を示すことが示されていないため、一般に、有機光学素子においては、具体的な材料が異なると、変換効率が異なるものとなるという技術常識に照らせば、ｍＴＰＤ層と三酸化モリブデン層のモル比が１００：４〜１００：１２であるもの以外のものまで、本願明細書の発明の詳細な説明に記載されているとは認められない。
　
・・・（省略）・・・
　
　よって、請求項１〜８に係る発明は、発明の詳細な説明に記載したものでない。
　
・・・（省略）・・・
　 　 　 　 　 　 　 　 　 　 　 　 　 　 　 　 　 　 　 　 　 」
　
　
第４　請求人の反論（意見書の内容）
　
　平成２７年９月１１日付けの意見書（以下、単に「意見書」という。）による請求人の主張の概要は以下のとおりである。
　
「・・・（省略）・・・
　
３．記載不備（特許法第３６条第６項第１号）
　平成２７年７月９日ご起案の拒絶理由通知書におきまして「ｍＴＰＤ層と三酸化モリブデン層の組み合わせ以外の正孔輸送性材料と金属酸化物の組み合わせについて、モル比１００：４ないしモル比１００：１２とすることで、高効率のエネルギー変換特性を示す有機太陽電池が得られることの具体的な説明やそれらの実証データの記載はされていない」とのご指摘をいただいております。
　当該ご指摘について、補正後請求項１では、正孔輸送性材料がＮ，Ｎ’−ビス（３−トリル）−Ｎ，Ｎ’−ジフェニルベンジジン（ｍＴＰＤ）、Ｎ，Ｎ’−ジナフチル−Ｎ，Ｎ’−ジフェニルベンジジン（ＮＰＤ）、及び４，４’，４’’−トリス（フェニル−３−トリルアミノ）トリフェニルアミン（ＭＴＤＡＴＡ）のアミン化合物であり（本願段落００３１）、金属酸化物がモリブデン酸化物、バナジウム酸化物、タングステン酸化物、ルテニウム酸化物、レニウム酸化物、インジウム酸化物、スズ酸化物及び亜鉛酸化物の少なくとも一種です（本願段落００３７）。
　本願実施例では、正孔輸送性材料としてｍＴＰＤを用い、金属酸化物としてＭｏＯ３、ＷＯ３及びＶ２Ｏ５のそれぞれを用いて有機薄膜太陽電池を製造し（例えば本願段落００５１、００５６及び００５７）、優れた電池性能が得られていることを確認しています。補正後請求項１の正孔輸送性材料は、実施例で効果を確認しているｍＴＰＤと同じアミン化合物であり（本願段落００３１）、補正後請求項１の金属酸化物は、実施例で効果を確認しているＭｏＯ３、ＷＯ３及びＶ２Ｏ５と同じ酸化数が多い金属酸化物です（本願段落００３６〜００３７）。ｍＴＰＤ以外のアミン化合物を正孔輸送材料として用いることができること、並びに三酸化モリブデン以外の金属酸化物を用いることができることは明細書に示されています。補正後請求項１の正孔輸送材料及び金属酸化物を用いて有機太陽電池を構成した場合に、例えば実施例のｍＴＰＤと三酸化モリブデンを用いた有機太陽電池と構成が異なるようなことは生じず、ｍＴＰＤと三酸化モリブデンを用いた有機太陽電池と同様の効果が得られることは明らかです。
　
・・・（省略）・・・
　
　以上から、本発明は、発明の詳細な説明に記載したものであると思料します。
　
・・・（省略）・・・
 　 　 　 　 　 　 　 　 　 　 　 　 　 　 　 　 　 　 　 　 　 」 
　
　
第５　当審の判断
　
１．ｍＴＰＤ層と三酸化モリブデン層の組み合わせ以外の正孔輸送性材料と金属酸化物の組み合わせが発明の詳細な説明に記載されたものか否かについて
　
（１）発明の詳細な説明の記載
　正孔輸送性材料と金属酸化物の組合せについて、発明の詳細な説明には次の事項が記載されている。
　
（ａ）「【００３０】
２．正孔輸送性材料、電子輸送性材料
　正孔輸送性材料は、正孔の移動度が高い材料が好ましい。正孔輸送性材料を含む第１の有機化合物層の典型的な膜厚は１０〜１５０ｎｍである。材料にも依存するが、好ましくは２０〜１００ｎｍ、さらに好ましくは３０〜６０ｎｍである。
　【００３１】
　正孔輸送性材料としい、例えば、Ｎ，Ｎ’−ビス（３−トリル）−Ｎ，Ｎ’−ジフェニルベンジジン（ｍＴＰＤ）、Ｎ，Ｎ’−ジナフチル−Ｎ，Ｎ’−ジフェニルベンジジン（ＮＰＤ）、４，４’，４’’−トリス（フェニル−３−トリルアミノ）トリフェニルアミン（ＭＴＤＡＴＡ）等に代表されるアミン化合物、フタロシアニン（Ｐｃ）、銅フタロシアニン（ＣｕＰｃ）、亜鉛フタロシアニン（ＺＮＰｃ）、チタニルフタロシアニン（ＴｉＯＰｃ）等のフタロシアニン類、オクタエチルポルフィリン（ＯＥＰ）、白金オクタエチルポルフィリン（ＰｔＯＥＰ）、亜鉛テトラフェニルポルフィリン（ＺＮＴＰＰ）等に代表されるポルフィリン類が挙げられる。また、溶液による塗布プロセスを用いる高分子化合物であれば、メトキシエチルヘキシロキシフェニレンビニレン（ＭＥＨＰＰＶ）、ポリヘキシルチオフェン（Ｐ３ＨＴ）、シクロペンタジチオフェン‐ベンゾチアジアゾール（ＰＣＰＤＴＢＴ）等の主鎖型共役高分子類、ポリビニルカルバゾール等に代表される側鎖型高分子類等が挙げられる。」
　
（ｂ）「【００３６】
３．金属酸化物材料
　ｐドーパントとして用いる金属酸化物は、とり得る酸化数が多いものが望ましい。例えば３酸化モリブデンＭｏＯ３はＭｏの酸化数は６であるが、蒸着時には５、４或いは３等の酸化数に対応する酸化物が混入していると考えられる。これらがｐ材料上に蒸着されると、より安定な６或いは５へ変化するために電子を下地のｐ材料から取り去り自身は安定化する。このように金属酸化物は自身が強アクセプターであるので、ｐ材料は電子を抜き取られカチオンラジカル即ち、正孔が生成される。
　【００３７】
　このようなｐドーピングとなる金属酸化物の例としてはモリブデン酸化物、バナジウム酸化物、タングステン酸化物、ルテニウム酸化物、レニウム酸化物、インジウム酸化物、スズ酸化物、亜鉛酸化物等から選ぶことができる。」
　
（ｃ）「【００５１】
実施例１：ｐ−ドーパントＭｏＯ３の例
　２５ｍｍ×７５ｍｍ×０．７ｍｍ厚のＩＴＯ透明電極付きガラス基板をイソプロピルアルコール、純水、イソプロピルアルコールの順で各５分間超音波洗浄を行なった後、ＵＶオゾン洗浄を３０分間実施した。洗浄後の透明電極パターン付きガラス基板を真空蒸着装置の基板ホルダーに下面が、透明電極がパターンされた側となるように装着し、真空蒸着装置を真空排気した。真空度が５．０×１０−４Ｐａとなったところで、下部電極である透明電極パターンが形成されている側の面上に、正孔輸送性であるｐ材料のｍＴＰＤを０．５Å／ｓで１５ｎｍ形成した。次にｐドーパントとして、三酸化モリブデンＭｏＯ３を０．５Å／ｓで１ｎｍ蒸着形成した。さらにこの上にｐ材料のｍＴＰＤを０．５Å／ｓで１５ｎｍ形成し、次に電子輸送性であるｎ材料Ｃ６０を０．５Å／ｓで６０ｎｍ蒸着形成した。続けてこの上にバッファー層として、１０ｎｍのバソクプロイン（ＢＣＰ）を抵抗加熱蒸着により０．５Å／ｓで１０ｎｍ成膜した。最後に対向電極として金属Ａｌを膜厚１００ｎｍ蒸着し、有機薄膜太陽電池を形成した。素子面積は０．６ｃｍ２であった。
　尚、ｍＴＰＤ層３０ｎｍと三酸化モリブデン層１ｎｍは、ｍＴＰＤ：三酸化モリブデンのモル比１００：１２に相当する。」
　
（ｄ）「【００５６】
実施例２：ｐ−ドーパントＷＯ３の例
　ｐ−ドーパントとしてＷＯ３を用いた以外は実施例１と同様にして有機薄膜太陽電池を形成し評価した。結果を表１に示す。
　【００５７】
実施例３：ｐ−ドーパントＶ２Ｏ５の例
　ｐ−ドーパントとしてＶ２Ｏ５を用いた以外は実施例１と同様にして有機薄膜太陽電池を形成し評価した。結果を表１に示す。」
　
（ｅ）「【００６５】
実施例８：ドーピング量の変化
　三酸化モリブデン層の厚みを０．３ｎｍにした以外は実施例４と同様にして有機薄膜太陽電池を形成し評価した。ｍＴＰＤ層３０ｎｍと三酸化モリブデン層０．３ｎｍは、ｍＴＰＤ：三酸化モリブデンのモル比１００：４に相当する。結果を表１に示す。」
　
（２）ｍＴＰＤ層と三酸化モリブデン層の組み合わせ以外の正孔輸送性材料と金属酸化物の組み合わせが発明の詳細な説明に記載されたものか否かの判断
　上記（ａ）〜（ｂ）の記載事項によると、明細書に、一般的記載として、正孔輸送性材料として「ｍＴＰＤ」以外の「ＮＰＤ」、「ＭＴＤＡＴＡ」が記載されており、金属酸化物として「モリブデン酸化物」以外の「バナジウム酸化物、タングステン酸化物、ルテニウム酸化物、レニウム酸化物、インジウム酸化物、スズ酸化物及び亜鉛酸化物」が記載されていることは認められるものの、それらを組み合わせるモル比については何ら記載されていない。
　上記（ｃ）〜（ｅ）の記載事項によると、明細書に、正孔輸送性材料としての「ＮＰＤ」と「ＭＴＤＡＴＡ」のそれぞれと金属酸化物としての「モリブデン酸化物、バナジウム酸化物、タングステン酸化物、ルテニウム酸化物、レニウム酸化物、インジウム酸化物、スズ酸化物及び亜鉛酸化物」のそれぞれとの組合せ、及び、正孔輸送性材料としての「ｍＴＰＤ」と金属酸化物としての「ルテニウム酸化物、レニウム酸化物、インジウム酸化物、スズ酸化物及び亜鉛酸化物」のそれぞれとの組合せについては、モル比１００：４ないしモル比１００：１２とすることで、高効率のエネルギー変換特性を示す有機太陽電池が得られることの具体的な説明やそれらの実証データが記載されているとは認められない。
　
　本願発明は「光電変換素子」の発明であり、明細書の【００１０】に「本発明の目的は、簡易な作製プロセスにより製造可能であり、しかも、エレクトロニクス素子として有用な素子構成を提供することにあり、特に有機太陽電池に用いたときに高効率の光電変換特性を示す光電変換素子を提供するものである。」と記載されているように、高効率の光電変換特性を目的とするものである。
　そして、本願発明は、「正孔輸送性材料と金属酸化物からなる第１の有機化合物層」を有し、「正孔輸送性材料と金属酸化物のモル比が、１００：４〜１２である」構成を備えているところ、正孔輸送性材料及び金属酸化物が異なれば、モル比を同様にした場合であっても、第１の有機化合物層の層構造や第１の有機化合物層内の正孔輸送性材料と金属酸化物の厚みといった光電変換素子における構成が異なること、及び、一般に、有機光学素子においては、具体的な材料が異なると、変換効率が異なるものとなるという技術常識を考慮すると、上記具体的な説明やそれらの実証データの記載がない正孔輸送性材料と金属酸化物の組合せについて、本願発明が目的する高効率の光電変換特性を示すことが明細書の発明の詳細な説明に記載されているとは認められない。
　すなわち、上記（ｃ）〜（ｅ）によって検証された正孔輸送性材料と金属酸化物の組み合せ（モル比）以外の正孔輸送性材料と金属酸化物の組み合せを含む本願発明が、発明の詳細な説明によってサポートされているということはできない。
　
（３）請求人の反論について
　請求人は、「補正後請求項１の正孔輸送性材料は、実施例で効果を確認しているｍＴＰＤと同じアミン化合物」であること、「補正後請求項１の金属酸化物は、実施例で効果を確認しているＭｏＯ３、ＷＯ３及びＶ２Ｏ５と同じ酸化数が多い金属酸化物」であることをもって、「補正後請求項１の正孔輸送材料及び金属酸化物を用いて有機太陽電池を構成した場合に、例えば実施例のｍＴＰＤと三酸化モリブデンを用いた有機太陽電池と構成が異なるようなことは生じず、ｍＴＰＤと三酸化モリブデンを用いた有機太陽電池と同様の効果が得られることは明らかです。」と主張している。
　しかしながら、上記（２）で述べたように、本願発明は、「正孔輸送性材料と金属酸化物のモル比が、１００：４〜１２である」構成を備えているため、正孔輸送性材料及び金属酸化物が異なれば、光電変換素子の構成が異なることは明らかであるところ、上記主張では、当該「モル比が、１００：４〜１２である」構成のもとでは正孔輸送性材料及び金属酸化物が異なれば光電変換素子の構成が異なることに対応した反論になっていない。
　そのため、上記「特定事項１」に対する審判請求人の意見は採用できない。
　
（４）小活
　したがって、本願発明は、発明の詳細な説明に記載されたものでない。
　
２．結論
　よって、本願の平成２７年９月１１日付け手続補正により補正された特許請求の範囲の請求項１は、発明の詳細な説明に記載した範囲を超えて特許を請求したものであり、本願は特許法第３６条第６項第１号に規定する要件を満たしていない。すなわち、上記手続補正によって当審で通知した拒絶理由は解消されない。
　
　
第６　むすび
　
　以上のとおり、本願は、特許法第３６条第６項第１号に規定する要件を満たしていないから、拒絶されるべきものである。
　
　よって、結論のとおり審決する。